(57)【特許請求の範囲】
【請求項１】
複数の測光領域を有し、当該複数の測光領域それぞれの測光値を取得する測光手段と、
複数の焦点検出部を有し、当該複数の焦点検出部それぞれのデフォーカス量を取得する焦点検出手段と、を備え、
前記複数の測光領域のうち２つ以上の測光領域に対して前記焦点検出部が複数対応付けられている撮像装置であって、
前記測光領域の重み付け係数を決定する決定手段と、
前記決定手段により決定された前記複数の測光領域それぞれの重み付け係数と、測光手段により取得された前記複数の測光領域それぞれの測光値と、を用いて重み付け演算を行って得られた演算測光値に基づいて、露出制御値を演算する露出演算手段とを備え、
前記決定手段は、前記焦点検出部が複数対応付けられている前記測光領域それぞれについて、対応付けられている前記焦点検出部それぞれのデフォーカス量の中で絶対値が最小となるデフォーカス量に基づいて重み付け係数を決定する第１の決定方法と、前記焦点検出部が複数対応付けられている前記測光領域それぞれについて、対応付けられている前記焦点検出部それぞれのデフォーカス量を加重平均して演算されたデフォーカス量に基づいて重み付け係数を決定する第２の決定方法を有していて、撮影条件に応じて前記第１の方法と前記第２の方法とを切り替えることを特徴とする撮像装置。
【請求項２】
前記撮影条件は、フォーカス制御において前記複数の焦点検出部の中から合焦させる焦点検出部を選択する方法を含むことを特徴とする請求項１に記載の撮像装置。
【請求項３】
前記決定手段は、前記複数の焦点検出部の中から合焦させる焦点検出部を選択する方法が手動であるときは前記第１の決定方法を用いて、前記複数の焦点検出部の中から合焦させる焦点検出部を選択する方法が自動であるときは前記第２の決定方法を用いることを特徴とする請求項２に記載の撮像装置。
【請求項４】
前記撮影条件は、撮影画角を含むことを特徴とする請求項１に記載の撮像装置。
【請求項５】
前記決定手段は、撮影画角が広角撮影に適した画角であるときは前記第１の決定方法を用いて、撮影画角が望遠撮影に適した画角であるときは前記第２の決定方法を用いることを特徴とする請求項４に記載の撮像装置。
【請求項６】
前記撮影条件は、撮影モードを含むことを特徴とする請求項１に記載の撮像装置。
【請求項７】
前記決定手段は、撮影モードが人物撮影モードであるときは前記第１の決定方法を用いることを特徴とする請求項６に記載の撮像装置。
【請求項８】
前記決定手段は、前記第２の決定方法では、前記焦点検出部が複数対応付けられている前記測光領域それぞれについて、対応付けられている前記焦点検出部それぞれのフォーカス制御後のデフォーカス量を絶対値が小さいデフォーカス量ほど重み付けが大きくなるように加重平均して演算されたデフォーカス量に基づいて重み付け係数を決定することを特徴とする請求項１ないし７のいずれか１項に記載の撮像装置。
【請求項９】
前記決定手段は、重み付け係数の決定に用いるデフォーカス量の絶対値が小さいほど重み付け係数を大きくすることを特徴とする請求項１ないし８のいずれか１項に記載の撮像装置。
【請求項１０】
複数の測光領域を有し、当該複数の測光領域それぞれの測光値を取得する測光手段と、
複数の焦点検出部を有し、当該複数の焦点検出部それぞれのデフォーカス量を取得する焦点検出手段と、を備え、前記複数の測光領域のうち２つ以上の測光領域に対して前記焦点検出部が複数対応付けられている撮像装置の制御方法であって、
前記測光領域の重み付け係数を決定する決定ステップと、
前記決定ステップで決定された前記複数の測光領域それぞれの重み付け係数と、測光手段により取得された前記複数の測光領域それぞれの測光値と、を用いて重み付け演算を行って得られた演算測光値に基づいて、露出制御値を演算する露出演算ステップとを有し、
前記決定ステップは、前記焦点検出部が複数対応付けられている前記測光領域それぞれについて、対応付けられている前記焦点検出部それぞれのデフォーカス量の中で絶対値が最小となるデフォーカス量に基づいて重み付け係数を決定する第１の決定方法と、前記焦点検出部が複数対応付けられている前記測光領域それぞれについて、対応付けられている前記焦点検出部それぞれのデフォーカス量を加重平均して演算されたデフォーカス量に基づいて重み付け係数を決定する第２の決定方法を有していて、撮影条件に応じて前記第１の方法と前記第２の方法とを切り替えることを特徴とする撮像装置の制御方法。
【発明の詳細な説明】
【技術分野】
【０００１】
本発明は、複数の焦点検出領域を備え、各焦点検出領域のデフォーカス量を用いて露出制御を行う撮像装置に関する。
【背景技術】
【０００２】
従来カメラなどで用いられる測光装置において、複数の焦点検出領域それぞれのデフォーカス量に基づいて、複数の焦点検出領域それぞれに対応する位置にある複数の測光センサから得られた測光値に対する重み付けを設定していた（例えば、特許文献１）。
【先行技術文献】
【特許文献】
【０００３】
【特許文献１】特開２００１―３５６３８４号公報
【発明の概要】
【発明が解決しようとする課題】
【０００４】
しかしながら、上述の特許文献に開示された、焦点検出領域のデフォーカス量に応じて、対応する位置にある複数の測光センサからの測光値に対する重み付けを決定する従来の測光装置では、以下のような場合について考慮されていなかった。すなわち、複数の測光センサによる複数の測光領域よりも焦点検出領域のほうが密に配置され、ある測光領域に対応する焦点検出領域が複数存在する場合である。このような場合、１つの測光領域に複数の焦点検出領域が対応しているため、当該測光領域に対応するデフォーカス量が複数存在することとなる。そのため、従来の測光装置による測光値の重み付けの方法では対応できない。
【０００５】
そこで、本発明は、１つの測光領域に複数の焦点検出部が対応している場合であっても、焦点検出部のデフォーカス量を用いて好適な露出制御を行うことができるようにすることを目的とする。
【課題を解決するための手段】
【０００６】
上記目的を達成するために、本発明にかかる撮像装置は、複数の測光領域を有し、当該複数の測光領域それぞれの測光値を取得する測光手段と、複数の焦点検出部を有し、当該複数の焦点検出部それぞれのデフォーカス量を取得する焦点検出手段と、を備え、前記複数の測光領域のうち２つ以上の測光領域に対して前記焦点検出部が複数対応付けられている撮像装置であって、前記測光領域の重み付け係数を決定する決定手段と、前記決定手段により決定された前記複数の測光領域それぞれの重み付け係数と、測光手段により取得された前記複数の測光領域それぞれの測光値と、を用いて重み付け演算を行って得られた演算測光値に基づいて、露出制御値を演算する露出演算手段とを備え、前記決定手段は、前記焦点検出部が複数対応付けられている前記測光領域それぞれについて、対応付けられている前記焦点検出部それぞれのデフォーカス量の中で絶対値が最小となるデフォーカス量に基づいて重み付け係数を決定する第１の決定方法と、前記焦点検出部が複数対応付けられている前記測光領域それぞれについて、対応付けられている前記焦点検出部それぞれのデフォーカス量を加重平均して演算されたデフォーカス量に基づいて重み付け係数を決定する第２の決定方法を有していて、撮影条件に応じて前記第１の方法と前記第２の方法とを切り替えることを特徴とする。
【発明の効果】
【０００７】
本発明によれば、１つの測光領域に複数の焦点検出部が対応している場合であっても、焦点検出部のデフォーカス量を用いて好適な露出制御を行うことができる。
【図面の簡単な説明】
【０００８】
【図１】本発明の実施形態にかかる撮像装置の概略構成を示すブロック図。
【図２】本発明の実施形態にかかる撮像装置の測光領域と焦点検出領域の配置関係を示す概念図。
【図３】第１の実施形態における露出制御値演算処理に関わる動作のフローチャート。
【図４】第１の実施形態における測光値の重み付けに用いるデフォーカス量決定処理のフローチャート。
【図５】第２の実施形態における測光値の重み付けに用いるデフォーカス量決定処理のフローチャート。
【図６】第３の実施形態における測光値の重み付けに用いるデフォーカス量決定処理のフローチャート。
【図７】焦点検出領域と測光領域の対応関係を示すテーブル。
【図８】デフォーカス量と重み付け係数の関係を示すテーブル。
【発明を実施するための形態】
【０００９】
以下に、本発明の好ましい実施の形態を添付の図面に基づいて詳細に説明する。
【００１０】
（第１の実施形態）
図１は、本実施形態における撮像装置の露出制御に関する構成の概略を示すブロック図である。不図示ではあるが、図１の撮像装置には、着脱式または一体的に構成された撮影レンズ、撮影レンズを介して入射した光を光電変換して画像信号を出力する撮像素子、及び、撮像素子から得られた画像信号を処理する処理回路等の公知の構成が搭載されている。
【００１１】
図１において、ＡＦセンサ１２は、複数の焦点検出領域を有し、各焦点検出領域は一対のラインセンサで構成され、焦点検出に必要な画像信号の取り込みを行っている。デフォーカス演算部１５では、ＡＦセンサ１２で取り込んだ画像信号に基づいて演算を行い、焦点検出領域毎のデフォーカス量を取得する。
【００１２】
信頼性判定処理部１６では、デフォーカス演算部１５で得られた各焦点検出領域のデフォーカス量を参照し、各デフォーカス量の信頼度を判定する。フォーカスレンズ制御部２３は、信頼性判定処理部１６によって信頼度が高いと判定した焦点検出領域のデフォーカス量に応じて、フォーカスレンズ（不図示）の移動量を算出する。そして、算出した移動量に基づいて、フォーカスレンズ駆動部２４を駆動することにより、フォーカスレンズを合焦位置に移動させる。なお、フォーカスレンズ制御部２３は、ユーザーが不図示の操作部を操作することで選択した焦点検出領域、または、撮像装置が自動的に選択した焦点検出領域のデフォーカス量に応じて、フォーカスレンズの移動量を算出しても構わない。
【００１３】
測光センサ１３は、複数の測光領域に分割された多分割測光センサであり、測光演算部１７では、測光センサ１３の出力に基づいて演算を行い、各測光領域の測光値をそれぞれ取得する。
【００１４】
露出演算部１１は、各焦点検出領域のデフォーカス量と、その信頼度とに基づいて、各測光領域の重み付け係数を演算する。なお、このとき用いるデフォーカス量は、フォーカスレンズを移動させた後のデフォーカス量である。そして、測光演算部１７で得られた各測光領域の測光値を、決定された重み付け係数で重み付け演算（加重平均）することで、撮像領域全体の測光値を演算する。そして、重み付け演算して得られた撮像領域全体の測光値と、ＩＳＯ感度などの設定値に基づいて、露光時間や絞り値などの露出制御値を演算する。そして、シャッター制御部２１、シャッター駆動部２２、レンズ絞り制御部２５、絞り駆動部２６では、露出演算部１１で演算された露出制御値に基づいて、露出制御を行う。
【００１５】
なお、シャッター駆動部２２、フォーカスレンズ駆動部２４、絞り駆動部２６、を除く上述した各部は本撮像装置全体を制御する不図示のＣＰＵ（中央演算処理装置）によって実現しているが、少なくとも一部を他の電気回路によって実現してもよい。
【００１６】
次に、本実施形態にかかる撮像装置の測光領域と焦点検出領域の配置関係について、図２を用いて説明する。図２（ａ）は、図１に示すＡＦセンサ１２の焦点検出領域Ｌ１〜Ｌ２７の配置を示す図であり、図２（ｂ）は、測光センサ１３の複数の測光領域を示しており、縦方向に５等分、横方向に７等分した領域となっている。以下、ｉを垂直方向の位置、ｊを水平方向の位置として、各測光領域の位置を（ｊ，ｉ）（ｊ＝１〜７、ｉ＝１〜５）として表す。
【００１７】
また、図２（ｃ）は、図２（ａ）に示す焦点検出領域Ｌ１〜Ｌ２７と、図２（ｂ）に示す複数の測光領域との対応を示す図であり、１つの測光領域に複数の焦点検出領域が対応する位置が存在する。例えば、測光領域Ｓ（３、２）には、焦点検出領域が複数対応付けられていて、焦点検出領域Ｌ１、Ｌ２、Ｌ６、Ｌ７の４つの焦点検出領域が対応付けられている。
【００１８】
また、図７は、焦点検出領域と測光領域の対応関係を示すテーブルであって、どの焦点検出領域がどの測光領域に対応しているかを示している。図７（ａ）では、焦点検出領域Ｌ１〜Ｌ２７のデフォーカス量をそれぞれｄｅｆ＿Ｌ１〜ｄｅｆ＿Ｌ２７とし、各焦点検出領域が配置された位置を測光センサ上の座標で表している。例えば、焦点検出領域Ｌ１は測光領域Ｓ（３、２）に対応する位置に配置され、焦点検出領域Ｌ６は測光領域Ｓ（３、２）及びＳ（３、３）に対応する位置に配置されていることが表されている。
【００１９】
次に、本実施形態の露出制御値演算処理に関わる動作について、図３及び図４を用いて説明する。不図示の操作部が操作されて露出制御値演算処理に関わる動作の開始が指示されると、ステップＳ１０１において、不図示のＣＰＵはＡＦセンサ１２を駆動させて、各焦点検出領域を構成している一対のラインセンサからそれぞれ画像信号を出力させる。
【００２０】
ステップＳ１０２では、デフォーカス演算部１５がステップＳ１０１で出力された画像信号から焦点検出領域毎のデフォーカス量を演算する。
【００２１】
ステップＳ１０３では、信頼性判定処理部１６が各焦点検出領域のデフォーカス量に対する信頼性判定を行う。フォーカスレンズ制御部２３は、ステップＳ１０４で信頼度が高いと判定された焦点検出領域のデフォーカス量に基づいてフォーカスレンズの移動量を算出し、フォーカスレンズ駆動部２４を駆動させてフォーカスレンズを合焦位置に移動させる。なお、信頼度が高いと判定された焦点検出領域ではなく、ユーザーが不図示の操作部を操作することで選択した焦点検出領域、または、撮像装置が自動的に選択した焦点検出領域のデフォーカス量に応じて、フォーカスレンズの移動量を算出しても構わない。
【００２２】
次に、ステップＳ１０４において、不図示のＣＰＵは測光センサ１３を駆動させ、Ｓ１０５では、測光演算部１７がステップＳ１０４での測光センサ１３の出力に基づいて、各測光領域の測光値を演算する。
【００２３】
ステップＳ１０６では、露出演算部１１が各測光領域に対する重み付け係数の決定に用いるデフォーカス量の決定処理を行う。この重み付け用デフォーカス量決定処理の詳細は後述する。なお、以下では、ステップＳ１０６で決定された測光領域Ｓ（ｊ，ｉ）の重み付け用デフォーカス量はｄｅｆ（ｊ，ｉ）とする。
【００２４】
ステップＳ１０７では、ステップＳ１０６で決定されたデフォーカス量ｄｅｆ（ｊ，ｉ）に基づいて、露出演算部１１が図８のデフォーカス量と重み付け係数の関係を示すテーブルに従って測光領域Ｓ（ｊ、ｉ）に対する重みつけ係数ｄｋ（ｊ，ｉ）を決定する。
【００２５】
ステップＳ１０８では、露出演算部１１がステップＳ１０７で決定した重み付け係数ｄｋ（ｊ，ｉ）を加味した所定の重み付け演算を行うことにより、以下の式（１）により撮像領域全体の測光値Ｅａを算出する。式（１）のＳ（ｊ，ｉ）は、ステップＳ１０４で演算した各測光領域の測光値を示している。
【００２６】
【数１】
0005868002.tif 000002
【００２７】
そして、算出された撮像領域全体の測光値Ｅａと、ＩＳＯ感度などの設定値に基づいて、露出演算部１１は露出制御値を演算する。
【００２８】
以上のような露出制御値演算処理により演算された露出制御値に基づいて、ＣＰＵがシャッター制御部２１、シャッター駆動部２２、レンズ絞り制御部２５、絞り駆動部２６などを制御して、露出制御を行う。
【００２９】
次に、ステップＳ１０６で行われる重み付け用デフォーカス量決定処理について説明する。図４は、本実施形態における重み付け用デフォーカス量決定処理のフローチャートを示している。
【００３０】
図３のフローチャートでステップＳ１０６に遷移すると、図４に示した重み付け用デフォーカス量決定処理がスタートし、ステップＳ２０１では、各測光領域Ｓ（ｊ，ｉ）について、それぞれに対応する焦点検出領域のデフォーカス量を読み出す。例えば、図２（ｄ）に示すように、測光領域Ｓ（ｊ，ｉ）に対して複数の焦点機検出領域Ｌｎ、Ｌｍ、Ｌｏ、Ｌｐ（ｎ、ｍ、ｏ、ｐ＝１〜２７）が対応している場合、それぞれのデフォーカス量ｄｅｆ＿Ｌｎ、ｄｅｆ＿Ｌｍ、ｄｅｆ＿Ｌｏ、ｄｅｆ＿Ｌｐを読み出す。このときの測光領域Ｓ（ｊ，ｉ）と複数の焦点機検出領域Ｌｎ、Ｌｍ、Ｌｏ、Ｌｐとの関係を図７（ｂ）に示す。
【００３１】
次に、ステップＳ２０２では、各測光領域Ｓ（ｊ，ｉ）について、対応する焦点検出領域のデフォーカス量の中から絶対値が最小となるものを選択する。複数の焦点機検出領域の中でデフォーカス量の絶対値が最小の焦点検出領域が最もピントが合っている領域であり、他の焦点検出領域に比べて主要な被写体が存在している可能性が高い。そこで、絶対値が最小となるデフォーカス量をその測光領域の重み付け係数の決定に用いることで、その測光領域に存在する被写体に対してより好適な露出制御を行うことができる。
【００３２】
例えば、図２（ｄ）に示した測光領域Ｓ（ｊ，ｉ）の重み付け係数の決定に用いるデフォーカス量は以下の式（２）によって選択される。
ｄｅｆ（ｊ，ｉ）＝ｍｉｎ｛｜ｄｅｆ＿Ｌｎ｜、｜ｄｅｆ＿Ｌｍ｜、｜ｄｅｆ＿Ｌｏ｜、｜ｄｅｆ＿Ｌｐ｜｝  ・・・式（２）
そして、ステップＳ２０３において、Ｓ２０２で選択されたデフォーカス量を重み付け係数の決定に用いるデフォーカス量に決定する。
【００３３】
なお、対応する焦点検出領域が１つの測光領域については、その焦点検出領域のデフォーカス量を自動的に重み付け係数の決定に用いるため選択を行う必要はなく、ステップＳ２０２を省略してもよい。
【００３４】
以上のように、１つの測光領域に複数の焦点検出領域が対応している場合、対応する焦点検出領域のデフォーカス量の中で絶対値が最小のものを重み付け係数の決定に用いることにより、焦点検出領域のデフォーカス量を用いて好適な露出制御を行うことができる。
【００３５】
なお、このような重み付け用デフォーカス量決定処理は、撮影画角が広い広角撮影時や主要被写体と背景との被写距離の差が大きく人物撮影時など、複数の焦点検出領域のデフォーカス量の差が大きくなる撮影シーンに用いることが望ましい。
【００３６】
また、１つの測光領域に複数の焦点検出領域が対応している場合でも、重み付け係数の決定には１つのデフォーカス量のみを用いることで重み付け係数の決定処理を簡略化することができる。
【００３７】
（第２の実施形態）
本実施形態は、第１の実施形態と重み付け用デフォーカス量決定処理のみが異なる。そのため、本実施形態における撮像装置の説明、及び、露出制御値演算処理に関わる動作の説明などは省略する。
【００３８】
図５は、本実施形態における重み付け用デフォーカス量決定処理のフローチャートを示している。図３のフローチャートでステップＳ１０６に遷移すると、図５に示した重み付け用デフォーカス量決定処理がスタートし、ステップＳ３０１では、各測光領域Ｓ（ｊ，ｉ）について、それぞれに対応する焦点検出領域のデフォーカス量を読み出す。例えば、図２（ｄ）に示すように、測光領域Ｓ（ｊ，ｉ）に対して複数の焦点機検出領域Ｌｎ、Ｌｍ、Ｌｏ、Ｌｐ（ｎ、ｍ、ｏ、ｐ＝１〜２７）が対応している場合、それぞれのデフォーカス量ｄｅｆ＿Ｌｎ、ｄｅｆ＿Ｌｍ、ｄｅｆ＿Ｌｏ、ｄｅｆ＿Ｌｐを読み出す。
【００３９】
次に、ステップＳ３０２では、各測光領域Ｓ（ｊ，ｉ）について、対応する焦点検出領域のデフォーカス量を加重平均して重み付け係数の決定に用いるデフォーカス量を演算する。このとき、デフォーカス量の絶対値が小さいものほど重み付けを大きくして加重平均演算を行う。
【００４０】
例えば、図２（ｄ）に示した測光領域Ｓ（ｊ，ｉ）の重み付け係数の決定に用いるデフォーカス量は以下の式（３）によって算出される。
ｄｅｆ（ｊ，ｉ）＝｛Ａ｜ｄｅｆ＿Ｌｎ｜＋Ｂ｜ｄｅｆ＿Ｌｍ｜＋Ｃ｜ｄｅｆ＿Ｌｏ｜＋Ｄ｜ｄｅｆ＿Ｌｐ｜｝／（Ａ＋Ｂ＋Ｃ＋Ｄ）・・・式（３）
式（３）において、Ａ、Ｂ、Ｃ、Ｄ＞０であって、Ａ、Ｂ、Ｃ、Ｄはそれぞれのデフォーカス量を加重平均する際の重み付け比率を表しており、デフォーカス量の絶対値が小さいものほど値は大きくなる。
【００４１】
そして、ステップＳ３０３において、Ｓ３０２で演算されたデフォーカス量を重み付け係数の決定に用いるデフォーカス量に決定する。
【００４２】
なお、対応する焦点検出領域が１つの測光領域については、その焦点検出領域のデフォーカス量を自動的に重み付け係数の決定に用いるため平均化を行う必要はなく、ステップＳ３０２を省略してもよい。
【００４３】
以上のように、１つの測光領域に複数の焦点検出領域が対応している場合、対応する焦点検出領域のデフォーカス量の加重平均値を重み付け係数の決定に用いることにより、焦点検出領域のデフォーカス量を用いて好適な露出制御を行うことができる。
【００４４】
なお、このような重み付け用デフォーカス量決定処理は、撮影画角が狭い望遠撮影時など、複数の焦点検出領域に同一の被写体が存在しそれぞれのデフォーカス量の差が大きくない撮影シーンに用いることが望ましい。そうした撮影シーンにおいて、デフォーカス量の絶対値が最小になるものを優先しつつその他の焦点検出領域のデフォーカス量も考慮することで、その測光領域に存在する被写体に対して適切なデフォーカス量を重み付け係数の決定に用いることができる。
【００４５】
また、１つの測光領域に複数の焦点検出領域が対応している場合でも、重み付け係数の決定には１つのデフォーカス量のみを用いることで重み付け係数の決定処理を簡略化することができる。
【００４６】
なお、本実施形態において、デフォーカス量の絶対値が小さいものほど重み付けを大きくして加重平均を行うのではなく、段階的に重み付けを変えて加重平均を行ってもよい。例えば、デフォーカス量が所定範囲内か否かに応じて重み付けを変えてもよいし、所定範囲を複数設けて、デフォーカス量がどの所定範囲内であるかに応じて重み付けを変えてもよい。また、デフォーカス量の絶対値が最小になるものが優先されないが、１つの測光領域に対応するすべての焦点検出領域のデフォーカス量の重み付けを等しくして平均化しても、従来に比べて焦点検出領域のデフォーカス量を用いて好適な露出制御を行うことができる。
【００４７】
（第３の実施形態）
本実施形態は、第１及び第２の実施形態と重み付け用デフォーカス量決定処理のみが異なる。そのため、本実施形態における撮像装置の説明、及び、露出制御値演算処理に関わる動作の説明などは省略する。
【００４８】
図６は、本実施形態における重み付け用デフォーカス量決定処理のフローチャートを示している。図３のフローチャートでステップＳ１０６に遷移すると、図６に示した重み付け用デフォーカス量決定処理がスタートし、ステップＳ４０１では、各測光領域Ｓ（ｊ，ｉ）について、それぞれに対応する焦点検出領域のデフォーカス量を読み出す。例えば、図２（ｄ）に示すように、測光領域Ｓ（ｊ，ｉ）に対して複数の焦点機検出領域Ｌｎ、Ｌｍ、Ｌｏ、Ｌｐ（ｎ、ｍ、ｏ、ｐ＝１〜２７）が対応している場合、それぞれのデフォーカス量ｄｅｆ＿Ｌｎ、ｄｅｆ＿Ｌｍ、ｄｅｆ＿Ｌｏ、ｄｅｆ＿Ｌｐを読み出す。
【００４９】
次に、ステップＳ４０２では、不図示のモード設定手段により設定可能なＡＦ制御モードとして手動選択ＡＦモード（第２の選択モード）と自動選択ＡＦモード（第１の選択モード）のどちらに設定されているかを判別する。ここで、手動選択ＡＦモードとは、ユーザーが不図示の操作部を操作することで合焦させる焦点検出領域を手動で選択するモードであり、自動選択ＡＦモードとは、撮像装置が自動的に合焦させる焦点検出領域を選択するモードである。
【００５０】
設定されたＡＦ制御モードが手動選択ＡＦモードである場合には、ステップＳ４０３へ遷移し、自動選択ＡＦモードである場合には、ステップＳ４０４へ遷移する。ステップＳ４０３では、第１の実施形態と同様に式（２）を用いて、複数の焦点検出領域のデフォーカス量の中から絶対値が最小となるデフォーカス量を選択する。
【００５１】
一方、ステップＳ４０４では、第２の実施形態と同様に式（３）を用いて、複数の焦点検出領域のデフォーカス量を加重平均して新たなデフォーカス量を演算する。
【００５２】
そして、ステップＳ４０５において、ステップ４０３で選択されたデフォーカス量、あるいは、ステップＳ４０４で演算されたデフォーカス量を重み付け係数の決定に用いるデフォーカス量に決定する。
【００５３】
手動選択ＡＦモードが設定されている場合、ユーザーが合焦させる焦点検出領域を選択するため、選択された焦点検出領域に主要な被写体が存在している可能性が高い。そこで、絶対値が最小となるデフォーカス量をその測光領域の重み付け係数の決定に用いることで、その測光領域に存在する被写体に対してより好適な露出制御を行うことができる。
【００５４】
それに対し、自動選択ＡＦモードが設定されている場合、撮像装置が自動的に合焦させる焦点検出領域を選択するため、選択された焦点検出領域が必ずしもユーザーが合焦させたい焦点検出領域と一致するとは限らない。そのため、デフォーカス量の絶対値が最小になるものを優先しつつその他の焦点検出領域のデフォーカス量も考慮した加重平均を行って演算したデフォーカス量を重み付け決定に用いることで、好適な露出制御を行うことができる。
【００５５】
以上のように、設定されたＡＦ制御モードに応じて、重み付け係数の決定に用いるデフォーカス量の決定方法を変更することにより、設定されたＡＦ制御モードに対して焦点検出領域のデフォーカス量を用いて好適な露出制御を行うことができる。また、１つの測光領域に複数の焦点検出領域が対応している場合でも、重み付け係数の決定には１つのデフォーカス量のみを用いることで重み付け係数の決定処理を簡略化することができる。
【００５６】
なお、本実施形態では、設定されたＡＦ制御モードに応じて、重み付け係数の決定に用いるデフォーカス量の決定方法を変更したが、撮影画角に応じて（広角撮影か望遠撮影か）デフォーカス量の決定方法を変更してもよい。また、撮影モードに応じてデフォーカス量の決定方法を変更してもよい。
【００５７】
以上、本発明の好ましい実施形態について説明したが、本発明はこれらの実施形態に限定されず、その要旨の範囲内で種々の変形及び変更が可能である。
【符号の説明】
【００５８】
１１  露出演算部
１２  ＡＦセンサ
１３  測光センサ
１５  デフォーカス量演算部
１７  測光演算部
【図１】
0005868002.tif 000003
【図２】
0005868002.tif 000004
【図３】
0005868002.tif 000005
【図４】
0005868002.tif 000006
【図５】
0005868002.tif 000007
【図６】
0005868002.tif 000008
【図７】
0005868002.tif 000009
【図８】
0005868002.tif 000010